(57)【要約】      （修正有）【課題】お金を入れたのにゲームや撮影がスタートしないなどのクレームが発生した場合、原因が機器の不具合によるのか、悪質な詐欺まがいの虚偽によるものかの判定を即座に下し、対処を図る。【解決手段】コインセレクターのコインスイッチの下部にキャビネットを設け、キャビネットに歯車軸を設け、歯車軸に歯車とコインカップ台を設け、コインカップ台に取り外しのできるコインカップを設け、キャビネットの内側面にフォトセンサーを設け、コインカップ台の向かい合う箇所にフォトセンサー感知用突起物を設け、キャビネットの外側面に駆動部台を設け、駆動部台に駆動軸を取り付け、駆動軸の先端部に歯車軸の先端部に設けた歯車と噛み合う形で歯車を設け、ＰＣボードのプレイ中信号を取り出したプレイ中信号ラインと電源ラインとグランドラインを駆動部に接続することを特徴とする娯楽機器の不作動時の投入コイン検証装置。【選択図】図１
2006318436.tif 000002
【特許請求の範囲】
【請求項１】
コインセレクターのコインスイッチの下部もしくはコインセレクターとキャッシュボックスとの間にコインを一時的に保管するための保管部を設け、この保管部を作動させて保管部内のコインをキャッシュボックスに排出させる駆動部を設け、駆動部に、コインスイッチからの信号を受けて作動を開始するＰＣボードのプレイ中信号を取り出したプレイ中信号ラインと、電源ラインと、グランドラインを接続することを特徴とする娯楽機器の不作動時における投入コイン検証装置。
【発明の詳細な説明】
【技術分野】
【０００１】  本発明は、コインセレクターのコインスイッチの下部もしくはコインセレクターとキャッシュボックスとの間にコインを一時的に保管するための保管部を設け、その保管部を作動させて保管部内のコインをキャッシュボックスに排出させるための駆動部を設け、駆動部に、ＰＣボードのプレイ中信号を取り出したプレイ中信号ラインと、電源ラインと、グランドラインを接続することを特徴とする娯楽機器の不作動時における投入コイン検証装置に関するものである。
【背景技術】
【０００２】  従来、コインを投入することにより作動する娯楽機器は、コイン投入口から投入されたコインがコインセレクターのコイン通路に設けたコインセンサーやコインスイッチを通過後、保管される部位もなく、そのまま直接キャッシュボックスに落下して収納される仕組みになっていた。
【発明の開示】
【発明が解決しようとする課題】
【０００３】  そのために、従来の娯楽機器においては、お金を入れたのにゲームや撮影がスタートしないなどのクレームが発生した場合、当該顧客の投入したコインは、返却口に戻されたりコインセレクターのコイン通路部に留まっていない限り、既にキャッシュボックス内に落下してそれまでの他の顧客が投入したコインと見分けのつかない状態で収納されており、当該顧客の投入したコインの真実を確認するためには、前回のコイン回収時のコインメーターとクレーム発生時点のコインメーターとの差と、キャッシュボックス内に収納されているコイン数とを照合することによって、メーター差よりもコイン数が多い場合にはその分が当該顧客の投入したコインと見なし、娯楽機器に設けたコインセレクターのコインセンサーやコインスイッチ、もしくはＰＣボード等が何らかの不具合を起こしていると判定し、メーター差とコイン数が同数の場合には当該顧客のコイン投入は虚偽もしくは作動開始の条件を満たさないコインの投入数であると判定するしか方法がなかった。ましてや、コインメーターが壊れていたり最初から設置されていない場合は何ら照合する術もなく、真実か虚偽かを確認する作業は困難であった。
また、上記クレームは比較的に繁忙期や混雑の時間帯に発生する割合が多く、このような中でキャッシュボックス内を部外者に見せる事への抵抗や確認作業の煩わしさから、実際にメーター差とコイン数とを照合してまで真実を探ることは稀であり、大部分は先ず当該顧客に疑いを抱いた上で、コイン投入の真実を念押しして確認したり、名前や住所・電話番号を聞くなど動揺を与えるような言葉をかけて相手の表情を窺いながら真実か虚偽かを勘で判定し、明らかに虚偽のクレームと判定した場合以外は娯楽機器の内部に設けたサービススイッチを押すことでゲームまたは撮影を無料スタートさせ、対処としていた。
そして、閉店後のコイン回収時や定期的なコイン回収時の際に、結果論として、クレームを寄せた顧客のコイン投入の真実や虚偽が判明し、同時に、疑うべきでなかった顧客に対して疑いの目や疑いの問いかけを行なった失礼への反省と、虚偽のクレームを寄せた不良客に対してサービススイッチによる無料スタートで対処した悔しさや歯がゆさが交錯する日々を繰り返すしかなかった。
つまり、コイン投入が真実か虚偽かを即座に判明出来る手段や装置が存在しないことこそが、疑いを掛けられる良客の不愉快や不満と、無料でプレイを楽しむ不良客の常習化を解決出来ないままでいた。
【課題を解決するための手段】
【０００４】  コインセレクターのコインスイッチの下部、もしくはコインセレクターとキャッシュボックスとの間にコインを一時的に保管するための保管部としてキャビネットを設け、キャビネットに歯車軸を貫通させる形で設け、歯車軸の片側先端部（キャビネット外側）に歯車を、中程（キャビネット内側）にコインカップ台を設け、コインカップ台に取り外しのできるコインカップを設ける。また、キャビネットの内側面にフォトセンサーを設け、コインカップ台の向かい合う箇所にフォトセンサー感知用突起物を設け、キャビネットの外側面に駆動部台を設け、駆動部台に駆動軸を取り付けた駆動部を設け、駆動軸の先端部に前記歯車軸の先端部に設けた歯車と噛み合う形で歯車を設ける。そして、駆動部にコインセレクターのコインスイッチからの信号を受けて作動を開始するＰＣボードのプレイ中信号を取り出したプレイ中信号ラインと電源ラインとグランドラインを接続する。以上を特徴とする娯楽機器の不作動時における投入コイン検証装置である。
【発明の効果】
【０００５】  お金を入れてもゲームや撮影がスタートしないというクレームが顧客からあった場合、コインカップの駆動部には信号が伝わっていないため、正常なコイン投入動作に伴なうコインカップの回転動作を招来せず、コインカップ内の有り様が顧客のコイン投入の真実やコインの投入数の真実、そして、機器の不具合の真実を明らかなものとするため、顧客に対して真実をもとにした適した対処を図ることができる。
【発明を実施するための最良の形態】
【０００６】  以下、本発明の実施の形態について説明する。
（イ）キャビネットａ（２）とキャビネットｂ（３）を貫通する形で歯車軸（６）を回転可能な状態に設け、歯車軸（６）の片側先端部に歯車ａ（７）を設ける。
（ロ）歯車軸（６）の中程に磁石（１７）を取り付けたコインカップ台（４）を設け、これに取り外し可能なコインカップ（６）を設ける。
（ハ）キャビネットｂ（３）の内側面にフォトセンサー（１５）を設け、コインカップ台（４）の向かい合う箇所にフォトセンサー感知用突起物（１６）を設ける。
（ニ）キャビネットｂ（３）の外側面に駆動部台（１１）を設け、駆動部台（１１）に駆動軸（９）を取り付けた駆動部（１０）を設け、駆動軸（９）の先端部に歯車ａ（７）と噛み合う形で歯車ｂ（８）を設ける。
（ホ）コインセレクター（２１）のコインスイッチ（２２）からの信号を受けて作動を開始するＰＣボード（２６）のプレイ中信号を取り出したプレイ中信号ライン（Ｌ１）と電源ライン（Ｌ２）とグランドライン（Ｌ３）を駆動部（１０）に接続する。
本発明は以上のような構成で、これを使用するときは、コインの投入が真実であった場合、又は機器の作動開始条件を満たす所定のコインが実際に投入され、コインスイッチ（２２）も異常なく働き、コインスイッチ（２２）からの信号を受けたＰＣボード（２６）において無事ゲーム開始や撮影開始などの作動開始に至った場合、ＰＣボード（２６）のプレイ中信号をプレイ中信号ライン（Ｌ１）を介して受けた本発明の装置の駆動部（１０）が作動し、駆動軸（９）及びこれに取り付けた歯車ｂ（８）、歯車ｂ（８）と噛みあった歯車ａ（７）それに歯車軸（６）が回転することで、歯車軸（６）に設けたコインカップ台（４）及びコインカップ（５）も回転し、コインカップ（５）内のコインをキャビネット（１）のコイン排出口（１２）よりキャッシュボックス（２５）に排出の上、１回転してフォトセンサー（１５）がフォトセンサー感知用突起物（１６）を感知して所定の位置に停止する。
しかし、コインの投入自体が真実でなかったり、機器の作動開始条件を満たさない投入コイン数であったり、コインスイッチ（２２）やその他の箇所の不具合の関係で、ＰＣボード（２６）においてゲーム開始や撮影開始に至らなかった場合、ＰＣボード（２６）のプレイ中信号が発せられないことにより本発明の装置の駆動部（１０）は作動せず、そのため駆動軸（９）及びこれに取り付けた歯車ｂ（８）、歯車ｂ（８）と噛みあった歯車ａ（７）それに歯車軸（６）も作動しないことから、歯車軸（６）に設けたコインカップ台（４）及びコインカップ（５）も作動せず、コイン投入時のままの状態を保つ。そこで、ツマミ（１４）をつかんでコインカップ（５）をコインカップ台（４）から取り出し、コインの有無や枚数を検証する。
【図面の簡単な説明】
【０００７】
【図１】本発明の一実施例を示す背面斜視図
【図２】本発明の一実施例を示す正面斜視図
【図３】本発明の一実施例を示す右側面図
【図４】本発明の一実施例を示すキャビネットを切断した右側面図
【図５】本発明の一実施例を示すキャビネット内の右断面図及び駆動部の右側面図
【図６】本発明の一実施例を示す平面図
【図７】本発明の一実施例を示す正面図
【図８】本発明の一実施例を示す背面図
【図９】本発明の装置の一実施例をコインセレクターに取り付け、ゲーム機筐体を切断した右側面図
【図１０】本発明の装置の一実施例をゲーム機本体に取り付け、ゲーム機筐体を切断した右側面図
【図１１】本発明の一実施例を示す配線図
【符号の説明】
【０００８】１    キャビネット
２    キャビネットａ
３    キャビネットｂ
４    コインカップ台
５    コインカップ
６    歯車軸
７    歯車ａ
８    歯車ｂ
９    駆動軸
１０  駆動部
１１  駆動部台
１２  コイン排出口
１３  配線口
１４  ツマミ
１５  フォトセンサー
１６  フォトセンサー感知用突起物
１７  磁石
１８  ゲーム機筐体
１９  ガラス面
２０  コインセレクタードア
２１  コインセレクター
２２  コインスイッチ
２３  取付け金具ａ
２４  キャッシュボックスドア
２５  キャッシュボックス
２６  ＰＣボード
２７  ブラウン管
２８  キャスター
２９  取付け金具ｂ
Ｌ１  プレイ中信号ライン
Ｌ２  電源ライン
Ｌ３  グランドライン
【図１】
2006318436.tif 000003
【図２】
2006318436.tif 000004
【図３】
2006318436.tif 000005
【図４】
2006318436.tif 000006
【図５】
2006318436.tif 000007
【図６】
2006318436.tif 000008
【図７】
2006318436.tif 000009
【図８】
2006318436.tif 000010
【図９】
2006318436.tif 000011
【図１０】
2006318436.tif 000012
【図１１】
2006318436.tif 000013